(57)【要約】本発明は隆起領域を有するエンボス体および表面とコントラストを成す第１コーティングを有する光学可変構造体を備えたデータ担体に関するものである。エンボス体と第１コーティングが、垂直方向と斜め方向とから交互に見たとき傾斜効果が生じるように、垂直方向から見ると少なくともそのコーティングの一部が完全に見え、斜め方向から見ると見えなくなるよう一体化されている。第１コーティングは特定の領域にのみ施されている。更に、光学可変構造体は少なくとも一部の領域に、第１コーティングの少なくとも一部の領域に重複して施されている、第１コーティング同様、データ担体の表面とコントラストを成す第２コーティングを有している。
2005535485.tif 000002
【特許請求の範囲】
【請求項１】
隆起領域を有するエンボス体および表面とコントラストを成す第１コーティングが、垂直方向と斜め方向とから交互に見たとき傾斜効果が生じるように、垂直方向から見ると少なくとも該コーティングの一部が完全に見え、斜め方向から見ると見えなくなるよう一体化されて成る光学可変構造体を備えたデータ担体であって、
前記第１コーティングが特定の領域にのみ施され、
前記光学可変構造体が少なくとも一部の領域に、前記第１コーティングの少なくとも一部の領域に重複して施されている、該第１コーティング同様に表面とコントラストを成す第２コーティングを有して成ることを特徴とするデータ担体。
【請求項２】
前記第２コーティングが前記エンボス体の隆起領域に対応して施されていることを特徴とする請求項１記載のデータ担体。
【請求項３】
凹版モチーフ、および隆起領域を有するエンボス体および表面とコントラストを成す第１コーティングが、垂直方向と斜め方向とから交互に見たとき傾斜効果が生じるように、垂直方向から見ると少なくとも該コーティングの一部が完全に見え、斜め方向から見ると見えなくなるよう一体化されて成る光学可変構造体を備えたデータ担体であって、
前記エンボス体の少なくとも一部が前記凹版モチーフの領域に配され、
前記光学可変構造体が少なくとも一部の領域に前記エンボス体の隆起領域に対応して施されている第２コーティングを有して成ることを特徴とするデータ担体。
【請求項４】
前記第２コーティングが前記凹版モチーフと同じ色を有することを特徴とする請求項３記載のデータ担体。
【請求項５】
前記第２コーティングが前記凹版モチーフの一部であることを特徴とする請求項３または４記載のデータ担体。
【請求項６】
前記第２コーティングが前記第１コーティングとコントラストを成す色を有することを特徴とする請求項１〜５いずれか１項記載のデータ担体。
【請求項７】
前記第１コーティングの色が前記第２コーティングの色と補色コントラストを成していることを特徴とする請求項１〜６いずれか１項記載のデータ担体。
【請求項８】
前記第１および第２コーティングが少なくとも部分的に重複して施されていることを特徴とする請求項１〜７いずれか１項記載のデータ担体。
【請求項９】
前記光学可変構造体が金属の背景層を有して成ることを特徴とする請求項１〜８いずれか１項記載のデータ担体。
【請求項１０】
前記第１および/または第２コーティングが少なくとも特定の領域に機械読取り可能な特性を有することを特徴とする請求項１〜９いずれか１項記載のデータ担体。
【請求項１１】
前記第１および/または第２コーティングが磁気特性、導電特性、または発光特性を有することを特徴とする請求項１０記載のデータ担体。
【請求項１２】
前記光学可変構造体に別の透明な光学可変層またはホイル素子が重畳されているか、または該構造体が該層または素子の下部に配されていることを特徴とする請求項１〜１１いずれか１項記載のデータ担体。
【請求項１３】
前記コーティングの１つが多色デザインされていることを特徴とする請求項１〜１２いずれか１項記載のデータ担体。
【請求項１４】
前記第１コーティングが印刷スクリーン体であることを特徴とする請求項１〜１３いずれか１項記載のデータ担体。
【請求項１５】
前記スクリーン体が一定のスクリーン線間隔を有するライン・スクリーンであることを特徴とする請求項１〜１４いずれか１項記載のデータ担体。
【請求項１６】
前記ライン・スクリーンが相隔たる有色ライン、または隣接当接している有色ラインから成ることを特徴とする請求項１５記載のデータ担体。
【請求項１７】
前記ライン・スクリーンが少なくとも特定の領域に肥厚部を有することを特徴とする請求項１〜１６いずれか１項記載のデータ担体。
【請求項１８】
前記前記ライン・スクリーンが一方の側のみに肥厚部を有することを特徴とする請求項１７記載のデータ担体。
【請求項１９】
前記ライン・スクリーンがハーフトーン画像を表していることを特徴とする請求項１７または１８記載のデータ担体。
【請求項２０】
前記エンボス体がエンボス・スクリーン体であることを特徴とする請求項１〜１９いずれか１項記載のデータ担体。
【請求項２１】
前記エンボス体が一定のスクリーン線間隔を有するライン・スクリーンとして構成されていることを特徴とする請求項１〜２０いずれか１項記載のデータ担体。
【請求項２２】
前記エンボス体が特定の領域において異なるスクリーン線間隔を有することを特徴とする請求項１〜２０いずれか１項記載のデータ担体。
【請求項２３】
前記エンボス体および第２コーティングが有色凹版印刷体として形成されていることを特徴とする請求項１〜２２いずれか１項記載のデータ担体。
【請求項２４】
前記第１コーティングが暗色のライン・スクリーンであり、前記第２コーティングが明色のライン・スクリーンの形態を成していることを特徴とする請求項１〜２３いずれか１項記載のデータ担体。
【請求項２５】
前記エンボス体が高さの異なる隆起領域を有することを特徴とする請求項１〜２４いずれか１項記載のデータ担体。
【請求項２６】
前記エンボス体および第１コーティングが同じスクリーン線間隔を有することを特徴とする請求項１〜２５いずれか１項記載のデータ担体。
【請求項２７】
前記エンボス体がそれぞれ異なる部分エンボス体を備えた部分領域に細分割されていることを特徴とする請求項１〜２６いずれか１項記載のデータ担体。
【請求項２８】
前記部分領域が、横方向にｍ個の部分領域、縦方向にｎ個の部分領域を有する二次元マトリックスを構成し、前記ｍおよびｎが１以上、好ましくは２以上であることを特徴とする請求項２７記載のデータ担体。
【請求項２９】
前記少なくとも２つの隣接部分領域の部分エンボス体が前記スクリーン線間隔の数分の一、好ましくは１/３オフセット配置されていることを特徴とする請求項２７または２８記載のデータ担体。
【請求項３０】
少なくとも１つの前記部分領域における前記部分エンボス体がエンボス加工されていないエッジ輪郭を有することを特徴とする請求項２７〜２９いずれか１項記載のデータ担体。
【請求項３１】
少なくとも１つのコーティングの少なくとも一部の領域が半透明インクから成っていることを特徴とする請求項１〜３０いずれか１項記載のデータ担体。
【請求項３２】
有価証書、特に銀行紙幣であることを特徴とする請求項１〜３１いずれか１項記載のデータ担体。
【請求項３３】
隆起領域を有するエンボス体および表面とコントラストを成す第１コーティングが、垂直方向と斜め方向とから交互に見たとき傾斜効果が生じるように、垂直方向から見ると少なくとも該コーティングの一部が完全に見え、斜め方向から見ると見えなくなるよう一体化されて成る光学可変構造体を備えたデータ担体を作製する方法であって、
前記第１コーティングを前記データ担体の特定の領域にのみ施し、
エンボス加工具により前記データ担体にエンボス体を加工することにより、該エンボス体と共に、前記第１コーティング同様、前記データ担体の表面とコントラストを成す第２コーティングを前記エンボス体の隆起領域に対応して転写することを特徴とする方法。
【請求項３４】
凹版モチーフ、および隆起領域を有するエンボス体および表面とコントラストを成す第１コーティングが、垂直方向と斜め方向とから交互に見たとき傾斜効果が生じるように、垂直方向から見ると少なくとも該コーティングの一部が完全に見え、斜め方向から見ると見えなくなるよう一体化されて成る光学可変構造体を備えたデータ担体を作製する方法であって、
前記エンボス体の少なくとも一部を凹版モチーフの領域に配し、
前記エンボス体の隆起領域の少なくとも一部の領域に第２コーティングを施すことを特徴とする方法。
【請求項３５】
前記第１コーティングをオフセット印刷によって施すこと特徴とする請求項３３または３４記載の方法。
【請求項３６】
前記第１コーティングをライン・スクリーンとして施すことを特徴とする請求項３３〜３５いずれか１項記載の方法。
【請求項３７】
前記エンボス体および第２コーティングをインクを担持した凹版印刷によって施すことを特徴とする請求項３３〜３６いずれか１項記載の方法。
【請求項３８】
前記第２コーティングに色分割処理を施すことを特徴とする請求項３７記載の方法。
【請求項３９】
前記第１コーティングを最初に施し、第２ステップにおいて前記エンボス体および第２コーティングを同時に転写することを特徴とする請求項３３〜３８いずれか１項記載の方法。
【発明の詳細な説明】
【技術分野】
【０００１】
本発明は隆起領域を有するエンボス体および表面とコントラストを成す第１コーティングが、垂直方向と斜め方向とから交互に見たとき傾斜効果が生じるように、垂直方向から見ると少なくともそのコーティングの一部が完全に見え、斜め方向から見ると見えなくなるよう一体化されて成る光学可変構造体を備えたデータ担体に関するものである。また、本発明はこのようなデータ担体の製造方法に関するものでもある。
【背景技術】
【０００２】
銀行紙幣、有価証書、クレジット・カード、身分証明書等のデータ担体に光学可変セキュリティー素子、特にホログラムのような光学可変回折構造体を備えることが知られている。ホログラムによる偽造防止は、視角の変化に応じてホログラムの光学的印象が変化することに基づいている。このような光学的に可変な印象は複写機で表すことはできない。何故なら、複写機は特定の視角におけるホログラムの外観を表示するに過ぎないからである。このようなホログラムを備えたデータ担体は、例えば、特許文献１によって知られている。特許文献１は既製素子として、またはデータ担体のラッカー層にエンボス加工することにより、ホログラムをデータ担体に配することを提案している。
【０００３】
しかし、データ担体に備えることができる別の光学可変セキュリティー素子もある。銀行紙幣の一部の表面領域に平行印刷ライン・パターンを設けることが、例えば、特許文献２によって知られている。光学可変効果を得るため、特定の視角においてのみ見える側腹部が形成されるようエンボス加工によってライン構造がデータ担体の印刷ライン・パターン領域に付加される。エンボス・ライン構造を成す同一方向に向いた側腹部の上部に印刷ライン・パターンを選択的に配することにより、ライン構造を成す側腹部を斜めから見るとライン・パターンが見え、側腹部の背面側を斜めから見るとライン・パターンを見えなくすることができる。
【０００４】
ライン・パターンまたはエンボス体を選択的に変化させることによって別の視覚的に知覚可能な効果が得られる場合には、このようにエンボス加工された光学可変セキュリティー素子の偽造防止効果を更に向上させることができる。このような付加的効果が特許文献３および特許文献４に記載されている。
【０００５】
後者の周知のセキュリティー素子の光学可変効果は、基本的には印刷と好ましくは凹版印刷によるブラインド・エンボス加工の組合せから生じる。ブラインド・エンボス加工は有色凹版印刷イメージと一体化できず、セキュリティー機能として単独で利用することに限定されるという欠点を有している。これは、凹版プレートにインクを流し込む際、ブラインド・エンボス加工凹部に絶対にインクが付着しないようにするため、ブラインド・エンボス加工領域とインクを担持する領域との間に比較的大きな間隔を設ける必要があることに起因している。
【特許文献１】欧州特許出願公開第０４４００４５号明細書
【特許文献２】加奈陀国特許第１０１９０１２号明細書
【特許文献３】国際公開第９７/１７２１１号パンフレット
【特許文献４】国際公開第０２/２０２８０号パンフレット
【発明の開示】
【発明が解決しようとする課題】
【０００６】
従って、本発明の課題は印刷イメージに一体化できる前記のような光学可変セキュリティー素子を備えたデータ担体を提供することにある。
【課題を解決するための手段】
【０００７】
この課題は独立請求項の特徴によって解決される。開発成果は従属請求項の主題である。
【０００８】
本発明はブラインド・エンボス加工の代わりにインクを担持したエンボス加工を施してもセキュリティー素子の光学可変効果が維持されるという研究成果に基づいている。即ち、光学可変構造体が少なくとも一部の領域に、エンボス体の隆起領域に対応して施されている、データ担体の表面とコントラストを成す第２コーティングを有している。第２コーティングにより、別に印刷処理を施さなくてもエンボス体が固定されるという効果が得られる。
【０００９】
更に、本発明のセキュリティー素子は凹版モチーフと一体化できるという効果を有し、それによって、メイン・モチーフのデザインおよび色彩との一体化が可能である。
【００１０】
凹版印刷は印刷プレートにイメージを印刷するための線状陥凹が設けられることを特徴とするものである。密に隣接した彫込み線によってリアルな表現が可能である。一般に、個々の彫込み線の幅は１ミリメートルの数分の一である。
【００１１】
印刷時、プレートの彫込み線にインクが充填される。ワイプ・シリンダーまたはドクター・ブレードによって余分なインクが除去され、彫込み線の先端部までインクが満たされる。印刷処理において、一般的には紙である印刷を施すデータ担体が、最終的に弾性表面を有する圧力シリンダーによって強く印刷プレートに押圧される。これにより、データ担体がプレートのインクが充満している彫込み線に圧入されインクに接触する。データ担体が分離するとき彫込み線凹部のインクが取り出される。このようにして印刷されたイメージは彫込みの深さに応じてインク層の厚さが異なる印刷ラインを有している。データ担体が非常に強い圧力によってプレートの凹部に圧入されるため、凹部からインクを受け取ると同時にエンボス加工される。
【００１２】
凹版印刷に半透明インクを使用する場合、白色のデータ担体に薄く印刷を施すと明るい色調が得られ、厚く印刷を施すと暗い色調が得られる。本発明の範囲において、このような効果を利用することにより、異なる色彩効果を得ることができると共に、傾斜効果の対比をより明確にすることができる。
【００１３】
このように、エンボス体を同様に窪みとしてプレートに設けることにより、本発明の光学可変構造体を非常に簡単に凹版モチーフの印刷プレートに一体化できる。印刷処理時、例えば、印刷を施す凹版モチーフと同じ色のインクをエンボス体に対応する窪みに充填する。エンボス加工処理と共にデータ担体に転写されるこのインク層が、エンボス体の隆起領域に対応して施される本発明の第２コーティングである。
【００１４】
エンボス体全体にこの色のインクを転写する必要はない。また、エンボス体の部分領域にのみ色を施すこともできる。別の方法として、エンボス体に異なる色またはカラー・フローを施すことができる。カラー・フローは１つのカラー・ステンシルによって印刷プレートに然るべくインクを配する色分割によって施すことができる。第２コーティングの色は凹版モチーフの色デザインに調和していることが好ましい。
【００１５】
色分割およびそれに対応した印刷インクを適切に選択することにより、光学可変構造体のコントラストが調整される。
【００１６】
また、発光体、磁性体、または導電体のような少なくとも１つの機能物質を少なくとも１つのインクに付加することにより、色分割によって光学可変構造体の一部を機械読取り可能とすることもできる。光学可変構造体の異なる領域にそれぞれ異なる機能物質を配することもできる。別の方法として、光学可変構造体全体に機械読取り可能な均一な特性を付与することもできる。
【００１７】
光学可変構造体を凹版モチーフに隣接当接させることもその一部とすることもできる。
【００１８】
このような凹版モチーフは主としてセキュリティー印刷に用いられるため、本発明のデータ担体は有価証書、特に銀行紙幣であることが好ましい。有価証書は綿繊維から成るセキュリティー・ペーパー、人造繊維および/または化学パルプを含む紙、または純粋にプラスチック・ホイルから成るものであってよい。また、このような有価証書は製品および物品の保護にも利用できる。
【００１９】
更に、エンボス体の領域に配される第２コーティングが第１コーティングとカラー・コントラストを成すことができ、少なくとも一部を第１コーティングに重複して配することができる。また、これらのコーティングの内の１つの少なくとも特定の領域に機械読取り可能な特性を付与することができる。これらの特性には、例えば、磁気特性、導電特性、または発光特性が含まれる。データ担体の光学可変構造体の領域に金属の背景層を配することができる。
【００２０】
エンボス体がスクリーンを構成していることが好ましい。エンボス体は三角形のみならず、台形、正弦曲線、半円、またはその他の形状を成すことができる。エンボス体は一定のスクリーン線間隔を有するライン・スクリーンを構成していることが好ましい。しかし、実施の形態によっては、スクリーン線間隔を違えることが有益な場合もある。例えば、光学可変構造体の先端部のライン数を徐々に増加させることにより、エンボス体を外見上先細りさせることができる。ライン数を一定または増加させながら、ライン幅を徐々に細くすることによっても同様の効果が得られる。先端部においては、エンボス体に対応して第１コーティングを施すか、またはまったく施さなくてもよい。
【００２１】
ライン・スクリーンを成すエンボス体の１つのラインにおいて、側腹部の角度を違えることにより別の効果が得られる。
【００２２】
光学可変効果を向上させるため、特許文献４に記載されているように、エンボス体をそれぞれ異なる部分エンボス体を備えた部分領域に細分割することができる。このような引用により、この特許文献が本明細書に組み込まれたものとする。
【００２３】
部分領域が横方向にｍ個の部分領、縦方向にｎ個の部分領域を有する二次元マトリックスを構成していることが好ましい。ここにおいて、ｍ、ｎ≧１であり、ｍ、ｎ≧２であることが好ましい。少なくとも２つの隣接部分領域の部分エンボス体がスクリーン線間隔の数分の一、好ましくは１/３相互にオフセット配置されていることが好ましい。
【００２４】
第１コーティングも同様にスクリーンを成す印刷であることが好ましい。これにより、各々のスクリーン要素を自由にデザインすることができる。しかし、スクリーン線間隔が一定のライン・スクリーンが好ましい。好ましい実施の形態によれば、ライン・スクリーンが任意の色を有する印刷ラインから成っている。このような印刷はオフセットまたはスクリーン印刷のような任意の印刷プロセスによって施すことができる。間接活版印刷のような任意の間接印刷プロセスも利用できる。更に、第１コーティングを所謂“レインボー・ブレンド”を成すカラー・フローとすることができる。
【００２５】
印刷スクリーンのライン幅がエンボス体ラインの側腹長より若干狭く、またラインが平行または略平行に延びるよう印刷スクリーンおよびエンボス体を調整することが好ましい。印刷スクリーンおよびエンボス体は必ずしも直線状に延びる必要はなく、波線等を成すこともできる。ライン幅は２５μｍ〜３００μｍの範囲であり、５５μｍ〜１５０μｍの範囲が好ましい。ライン・スクリーンが相隔たる印刷ラインから成る場合、印刷領域と非印刷領域との比が略１：１であることが好ましい。更に、ライン幅を約１００μｍとした場合には、肉眼では分離できず均一な色となって現れる。即ち、ライン・スクリーンが均一な有色面として知覚される。また、一定の領域のラインを肥厚させることにより、例えば、ハーフトーン画像または別のモチーフを表すことができる。ラインは一方の側のみを肥厚させることが好ましい。これによりコントラストが強くなる。別の方法として、ラインにギャップを設けることにより、可視可能なパターンを付加することができる。また、有価証書上の別の情報を反復するよう第１コーティングおよび/またはエンボス体を構成することにより、比較ができるようにすることも可能である。
【００２６】
少なくとも真上から見た場合、第１および第２コーティングの混合色が常に知覚されるため、２つの色を適切に選択することにより、一般的に、セキュリティー素子を自由にカラー・デザインすることができる。同様に、第１コーティングの色、ラインの太さ、およびライン変調、並びにエンボス体の側腹角、高さおよび即腹部の変調等、パラメータを適切に選択することにより、異なる視角において知覚される情報を調整することができる。
【００２７】
光学可変インク、即ち、視角に応じて異なる光学特性を示すインクを使用することにより、印刷をラスタライズすることができる。例えば、メタリック調の高光沢層とするか、または、例えば、液晶顔料インクのように角度に応じて色彩が変化するインクを用いることができる。
【００２８】
しかし、第１コーティングをラスタライズした本発明の光学可変構造体を別の光学可変印刷イメージの下部に配するか、またはそれによって覆うこともできる。これには、干渉層および/または液晶顔料を含む印刷インクを用いることが好ましい。別の金属背景も考えられる。印刷イメージはポジまたはネガとすることができる。液晶を使用することにより、印刷イメージに機械読取り可能な偏光特性を付与することができるため、偽造防止機能が向上する。印刷イメージが部分印刷イメージから成り、異なる偏光特性を有する液晶を部分イメージの印刷に使用した場合特にこのことが言える。
【００２９】
本発明の光学可変構造体を別の印刷イメージの下部に配するかまたはそれによって覆う代わりにラッカー層にエンボス加工した回折構造体のようなホイル素子の下部に配するかまたはそれによって覆うことができる。この場合、任意の層構造およびホイル素子、例えば、リアル・ホログラム、格子構造体、透明、半透明、または不透明ボリューム・ホログラムを用いることができる。
【００３０】
好ましい実施の形態によれば、本発明の光学可変構造体がライン・スクリーンを成す印刷、第１の色、および隆起領域に第１の色とコントラストを成す別の色が配されているライン・スクリーンに重複し同様に直線状に延びるエンボス体から成っている。この第２の色は一定の透明性を有する半透明印刷インクから成り、重複領域において、第１コーティングの色が第２の色を通して輝くことにより混合色を呈することが好ましい。第１および第２の色が補色コントラストを成している場合、特によい効果が得られる。
【００３１】
データ担体表面に対し垂直に光学可変構造体を見ると、理想的には均一な色のみが見える。データ担体を傾けるか、または視角を変えると第１コーティングおよび/または第２コーティングの一部がエンボス体によって隠蔽されるため、特定の領域において、第１コーティングまたは第２コーティングの色、または２つのコーティングの混合色が優勢となり色彩変化効果が現れる。
【００３２】
このような色の相互作用は２つのコーティングの色コントラストが優れているほど明確になる。例えば、黒色のような暗色のライン・スクリーンに、半透明のインクから成るコントラストに優れた、例えば、黄色またはその他の明るい色調の凹版印刷を組み合せることができる。この場合、黒色ライン・スクリーンを成す第１コーティングはオフセット印刷によって施されることが好ましい。
【００３３】
別の方法として、好ましくは全体的にインク層を成す別の層を好ましくはスクリーン状の第１コーティングの下部に配することができる。この層により有価証書のセキュリティー素子領域を安定させることができ、エンボス体の端部を鋭くすることができる。このような層は下地層、着色ラッカー層、またはその他の層とすることができ、第１コーティングとコントラストを成す色を有している場合には、セキュリティー素子のカラー・デザインに寄与することができる。従来の印刷インク、または発光性インク、干渉顔料または液晶顔料を含む印刷インクのような特殊インクを使用することができる。
【００３４】
エンボス体および/または第１コーティングを然るべくデザインすることにより、情報を付加することができる。例えば、エンボス体の隆起領域の高さを違えることができる。エンボス体を凹版印刷によって形成する場合、このことはエンボス体の彫込みの深さがそれぞれ異なることを意味する。彫込みが浅い領域には印刷時またはエンボス加工時に少ない量のインクが充填され、半透明インクの場合には明るい色調の領域が得られる。このようにして、本発明の第２コーティングにより、すべての視角において視覚的に知覚可能な情報を付加することができる。しかし、エンボス体の高さが異なることにより、エンボス体のみならず、第１コーティングと第２コーティングとの相対位置およびこれらの相互作用に起因する光学可変効果が視角の変化に応じて付加される。
【００３５】
特許文献４に述べられているように、エンボス加工されていないエッジ輪郭によっても付加情報を強調することができる。別の方法として、本発明により、エッジ輪郭に第２コーティングを施すと共に構造体をエンボス加工することができる。
【００３６】
これまで何度か述べてきたように、本発明の光学可変セキュリティー素子は２つの印刷処理によって作製されることが好ましい。最初の印刷処理、好ましくはオフセット印刷または間接印刷処理によって、第１コーティングがデータ担体に印刷される。第２印刷処理、好ましくは本発明の凹版印刷によりエンボス体および第２コーティングが最終的に同時にデータ担体に転写される。
【００３７】
オフセット印刷および/またはスクリーン印刷によって２つのコーティングを互いに位置合わせして印刷し、次いでこの印刷領域に同様に整合を取ってブラインド・エンボス加工を施すことにより同様の視覚的効果が得られる。本発明の範囲に属するすべての実施の形態をこのような方法で作製することができる。特別な実施の形態によれば、例えば、第１の色を有するライン・スクリーンが印刷され、それに一部を重複させて第２コーティングを半透明のインクで全体に印刷される。最後のステップにおいて、印刷領域全体にわたり位置合わせしてライン・スクリーンを成すブラインド・エンボス加工処理が施される。
【００３８】
しかし、順序を逆にして、まずエンボス体および第２コーティングをデータ担体に施し、次いで第１コーティングを施すこともできる。
【発明を実施するための最良の形態】
【００３９】
以下、添付図面を参照し、本発明の実施の形態および効果について説明する。
【００４０】
図１は光学可変構造体２を備えた本発明のデータ担体１を示す図である。光学可変構造体２は、補助器具を必要とせずにチェックが可能であり、任意として別のセキュリティー機能と共に、データ担体の真正性のチェックに使用されるものである。別のセキュリティー機能には、例えば、セキュリティー・スレッド、透かし等がある。本発明の範囲として、光学可変構造体２は有価証書１の凹版モチーフ３領域に配される。光学可変素子２の幾何学形状および色彩を凹版モチーフ３に調和させることができる。凹版モチーフ３の作製方法にもよるが、光学可変構造体２を凹版モチーフ３に完全に一体化することもできる。
【００４１】
しかし、別の方法として、本発明のセキュリティー素子を有価証書１の任意の場所に配することができる。
【００４２】
株券、小切手等の有価証書のみならず、本発明の光学可変構造体２を銀行紙幣に用いることにより特別な効果が得られる。このような光学可変構造体を用いて製品を保護するためのラベルまたはその他の素子を作製することもできる。
【００４３】
図示の実施の形態による光学可変構造体２は、データ担体の表面とコントラストを成す印刷の形態を成す第１コーティング、エンボス体、および同様にデータ担体の表面と色彩的なコントラストを成し、エンボス体の隆起領域に対応して施されている第２コーティングから成っている。垂直に見ると第１コーティングの少なくとも一部の領域が完全に見え、斜めから見ると見えなくなるよう、光学可変構造体２の各種要素が互いに組み合わされている。
【００４４】
この原理が図２に示す図１のＡ−Ａ線断面によって明らかにされている。図示の実施の形態においては第１コーティングがライン・スクリーン４から成り、エンボス体５もライン・スクリーンを成している。第２インク層６がエンボス体５に対応して施され、第１コーティング４を完全に覆っている。観察方向Ａから垂直に見ると、第１コーティング４と第２コーティング６との混合色に略一致した着色面のみが見える。観察方向Ｂから斜めに見ると、印刷スクリーンの印刷ラインに一致したエンボス体５の側腹部が見える。従って、観察方向Ｂにおいては、第１コーティング４と第２コーティング６との混合色から成る略均一な色の印刷が見える。観察方向Ｃにおいて、ライン・スクリーン４の特定のギャップに一致したエンボス体５の側腹部が見える。従って、観察方向Ｃにおいては第２コーティング６の色彩から成る同様に均一な着色面が見える。
【００４５】
エンボス体５および第２コーティング６は凹版プレートによって有価証書１に転写されることが好ましい。これにより、１つの工程で凹版モチーフを備えたセキュリティー素子を同時に作製できるという効果が得られる。このため、望ましいエンボス体のネガおよび凹版モチーフが印刷プレートに彫刻される。印刷処理の間、印刷プレートにインクが満たされ、次いでデータ担体材料１がプレートの彫刻領域に押圧されることにより永続的に変形する。高い接触圧力によって、エンボス体５もデータ担体材料１の背景に現れる。
【００４６】
印刷プレートに同じ色のインクを満たすことにより、第２コーティングおよび凹版モチーフ３を同一色にすることができる。しかし、それぞれ別の色を使用することもできる。
【００４７】
第２コーティング６に半透明のインクが使用されているため、第１および第２コーティング４、６が重複する領域において２つの色を混合した色が見える。
【００４８】
図２のエンボス体５の断面は隣接当接した三角形状を成している。しかし、僅かに間隔を設けて三角を成す側面形状体を配することもできる。図３〜５が示すように、第１コーティング４および第２コーティング６またはエンボス体５の相対位置を違えることもできる。図３〜５はエンボス体の側面形状、およびコーティング４と６との相対位置のみを示している。
【００４９】
図３において、エンボス体５の三角側面形状体が接続バー７によって示されているように間隔を設けて配されている。図２が示すように、第１コーティング４は第２コーティング６下部のエンボス体５の１つの側腹部に施されている。しかし、接続バー７にはコーティングが施されていないため、この領域においてデータ担体の表面が見える。
【００５０】
図４は第１コーティング４が接続バー７全体およびエンボス体５の一部を覆っている別の実施の形態を示している。この例では、第２コーティング６が第１コーティングの一部のみを覆っているため、第１コーティングの一部も見えている。
【００５１】
図５は別の実施の形態を示している。エンボス体５、第１コーティング４、および第２コーティング６の相対位置が図３の実施の形態に対応している。しかし、この例ではエンボス体の高さが異なっている。エンボス体５およびコーティング６がインクを満たした凹版印刷によって形成される場合、このことはエンボス体のより高い隆起領域により多くのインクが転写されることを意味する。エンボス体５の領域８におけるインク層が厚いため、部分領域８は部分領域９より暗い色調に見える。このようにして、光学可変素子に情報を付加することができる。
【００５２】
しかし、このような目に見える付加情報は別の方法によっても付与することができる。半透明のインクを使用する場合、印刷イメージの一部の領域のインク層を厚くすることにより付加情報を表すこともできる。
【００５３】
図６はこのような付加情報を付与するための印刷プレート３０の断面図である。第１印刷イメージ２１がｔ１の深さでプレート３０に彫刻されている。第１印刷イメージ３１に重畳される第２印刷イメージ３２がｔ２の深さでプレート３０に彫刻されている。第２印刷イメージ３２の彫込みは第１印刷イメージ３１の彫込みより深いため、より多くのインクが印刷イメージ３２の領域に転写される。半透明インクを使用する場合、印刷イメージ領域３２がより暗色になり、明るい印刷イメージ３１を背景として知覚できる。この例では、印刷工程においてエンボス体と共に有価証書に転写される第２コーティングが２つの印刷イメージ３１、３２によって形成される。
【００５４】
図７は第２コーティングに付加情報を付与する別の実施の形態を示す図である。ここでも、幅ｂのラインが刻まれている印刷プレート３０が示されている。このラインは深さおよび側腹部の勾配が異なる領域３３、３４から成っている。領域３３、３４のインクが異なるため、ラインの長手方向に沿って印刷イメージが異なる色を呈する。  
ラインが過度に深い場合、エンボス加工中に紙が裂ける可能性がある。従って、同じライン幅を維持するためには、ラインの幅をできるだけ広くし深さをできるだけ浅くする必要がある。フライス工具によって印刷プレートを作製する場合、幅の狭い切削工具を用い、フライス工具のガイドによって望ましいラインを切削する必要がある。
【００５５】
図８は本発明の光学可変構造体の別の実施の形態を示す図である。この例では、第１コーティングが、互いに色を違えることもできる、交差配列された２つのライン・スクリーン１０、１１から成っている。図示の例では、印刷スクリーン１１のラインがエンボス体５の１つの側腹部に施されている。エンボス体５およびコーティング６の断面の詳細を示す図８の下端の側面スケッチからこの関連が分かる。
【００５６】
図９は第１コーティングが片面スクリーン４０から成る本発明の光学可変構造体の実施の形態を示す図である。このスクリーンは直線状のベースライン４１から発している。スクリーン要素の対向線４２は不規則であり、スクリーン要素によって形状が異なっている。このスクリーンによりコントラストがきいたハーフトーン画像を表すことができる。図８に関連して説明したように、スクリーン要素４０はエンボス体５の側腹部に配され、第２コーティングによって覆われていることが好ましい。
【００５７】
図１０は本発明の光学可変素子２の基本構成を示す平面図である。光学可変素子２は、定間隔に印刷されたラインから成るライン・スクリーン４の形態を成す第１コーティングを備えている。簡略化のため破線の枠で示すエンボス体５が印刷４に重複して配されている。図示のエンボス体５は、簡略化のため省略してある部分エンボス体が配されている６つの部分領域５０、５１、５２、５３、５４、５５に細分割されている。部分エンボス体の隆起領域に対応して施されている第２コーティングも示してない。この場合、部分領域５０、５１、５２、５３、５４、５５は互いに隣接当接し二次元のマトリックスを構成している。実施の形態にもよるが、マトリックスは縦方向にｎ個の部分領域、横方向にｍ個の部分領域を有することができる。ここにおいてｎ、ｍ≧１であり、ｎ、ｍ≧２であることが好ましい。図示の例では、ｎ≒３、ｍ≒２である。図示してない第２コーティングはエンボス体５の隆起領域に対応して施されている。
【００５８】
部分エンボス体とライン・スクリーン４との相対位置が部分領域によって異なり、部分領域５０、５１、５２、５３、５４、５５の色、色調、または明度が異なるため、コントラストを有する部分領域として知覚できる。視角が変わると部分領域の色および明暗が変化する。第２コーティング６が重畳されることにより、この効果が強化される。
【００５９】
図１１はエンボス体５の別の特別な実施の形態を示す概略図である。このエンボス体は、それぞれ異なる部分エンボス体２０、２１、２２、２３、２４、２５を配した部分領域５０、５１、５２、５３、５４、５５から成っている。図１１の斜線は特定の部分エンボス体２０、２１、２２、２３、２４、２５の方向および配列を示している。図示の線は、図の左下に示す部分構造体２３の断面から分かるように、エンボス体の谷を示している。簡略化のため、部分エンボス体２０、２１、２２、２３、２４、２５の天頂は線で示してない。すべての部分エンボス体２０、２１、２２、２３、２４、２５は同じスクリーン線間隔ａを有しているが、部分エンボス体２０、２１、２２、２３、２４、２５の隣接ペアは相互にオフセットされている。図示の例では、オフセット量はスクリーン線間隔ａの１/ｘであることが好ましい。部分エンボス体の隣接ペアは相互にスクリーン線間隔ａの１/３オフセットされていることが好ましい。図１１では簡略化のため第１コーティングは省略されている。しかし、部分エンボス体２０、２１、２２、２３、２４、２５、およびそれに対応して施されている第２コーティングが部分領域によって異なるため、第１コーティングと特定の部分エンボス・スクリーン２０、２１、２２、２３、２４、２５との相対位置もそれに応じて異なる。これにより、明確に知覚できる頻繁に変化する明暗のコントラストおよび色彩がもたらされる。例えば、部分エンボス体がエンボス体５において繰り返されるようにオフセットを選択すると、１つの視角において複数の部分領域が同じに見える。しかし、基本的に本発明のエンボス体５の部分エンボス体２０、２１、２２、２３、２４、２５をスクリーン線間隔ａの数分の一オフセットする必要はない。別のオフセット量も可能である。また、すべての部分エンボス体２０、２１、２２、２３、２４、２５を相互にオフセットする必要はない。部分領域５０、５１、５２、５３、５４、５５の２つの領域の部分エンボス体２０、２１、２２、２３、２４、２５を相互にオフセットするだけで充分な場合もある。この場合、２つの部分領域が隣接当接していなくてもよい。同様に、部分領域５０、５１、５２、５３、５４、５５の１つの領域に異なるスクリーン線間隔ａを有する部分エンボス体２０、２１、２２、２３、２４、２５を備えることができる。また、１つの部分エンボス体２０、２１、２２、２３、２４、２５の延長方向を隣接部分エンボス体２０、２１、２２、２３、２４、２５の延長方向と違えることもできる。例えば、部分エンボス体２０を部分エンボス体２１に対し９０°異なる方向に配することができる。
【００６０】
図示の例においては、第１コーティングが必ず最初に形成され、次いでエンボス体５または第２コーティング６が形成されるとしてきた。勿論、別の方法としてまずエンボス体および第２コーティングを形成し、次いで第１コーティングを第２コーティングの上に印刷することもできる。
【図面の簡単な説明】
【００６１】
【図１】本発明のデータ担体を示す図。
【図２】図１のＡ−Ａ線断面図。
【図３】本発明のセキュリティー素子の第１の実施の形態における第１コーティングと第２コーティングとの相対位置を示す概略図。
【図４】本発明のセキュリティー素子の第２の実施の形態における第１コーティングと第２コーティングとの相対位置を示す概略図。
【図５】エンボス体が異なる高さを有している本発明のセキュリティー素子の第３の実施の形態における第１コーティングと第２コーティングとの相対位置を示す概略図。
【図６】付加情報を有するエンボス体を成形するための本発明のエンボス型の断面図。
【図７】本発明のエンボス型の別の実施の形態を示す図。
【図８】本発明のセキュリティー素子の別の実施の形態を示す図。
【図９】本発明のセキュリティー素子の更に別の実施の形態を示す図。
【図１０】エンボス体をマトリックス状に配した本発明のセキュリティー素子の特別な実施の形態を示す図。
【図１１】本発明のセキュリティー素子のエンボス体の特別な実施の形態を示す図。
【符号の説明】
【００６２】
１            データ担体
２            光学可変構造体
３            凹版モチーフ
４            第１コーティング
５            エンボス体
６            第２コーティング
７            接続バー
１０、１１    ライン・スクリーン          
２０〜２５    部分エンボス体
３０          印刷プレート
３１          第１印刷イメージ
３２          第２印刷イメージ
３３、３４    勾配が異なる領域          
４０          片面スクリーン
４１          ベースライン
４２          対向線
５０〜５５    部分領域
【図１】
2005535485.tif 000003
【図２】
2005535485.tif 000004
【図３】
2005535485.tif 000005
【図４】
2005535485.tif 000006
【図５】
2005535485.tif 000007
【図６】
2005535485.tif 000008
【図７】
2005535485.tif 000009
【図８】
2005535485.tif 000010
【図９】
2005535485.tif 000011
【図１０】
2005535485.tif 000012
【図１１】
2005535485.tif 000013
【国際調査報告】
2005535485.tif 000014
2005535485.tif 000015
2005535485.tif 000016
2005535485.tif 000017
2005535485.tif 000018
2005535485.tif 000019
2005535485.tif 000020
2005535485.tif 000021